(57)【要約】【課題】複数のパネルのつなぎ目を視認し難くし、一体感のある大画面の表示を可能とする車両用表示装置を提供する。【解決手段】各画像表示パネル１０は、表示画面１２と、表示画面１２同士が互いに鈍角ＯＡを成すように、外枠部１４の隣接辺１５ａ同士を隣接させて並べられている。表示画面１２同士が鈍角ＯＡを成す側に、各表示画面１２から発せられた光を屈折するプリズム部２０が設けられている。プリズム部２０は、パネル１０側を向く表面として、二等分線ＡＢを跨いで対を成すように設けられ、表示画面１２に沿うことにより、二等分線ＡＢに対して傾斜して配置された沿設面２２と、パネル１０とは反対側を向く表面として、二等分線ＡＢを跨いで対を成すように設けられ、二等分線ＡＢに近づく程、プリズム部２０の媒質を介して相対する沿設面２２との間隔が狭くなるように、二等分線ＡＢに対して傾斜して配置された傾斜面２６と、を有する。【選択図】図３
2018010091.tif 000002
【特許請求の範囲】
【請求項１】
車両に搭載され、複数の画像表示パネル（１０）が一体的に組み合わされて表示を行なう表示装置であって、
各前記画像表示パネルは、画像を表示する表示画面（１２）と、前記表示画面を囲む外枠部（１４）と、を有し、前記表示画面同士が互いに鈍角（ＯＡ）を成すように、前記外枠部の辺（１５ａ）同士を隣接させて並べられており、
前記表示画面同士が前記鈍角を成す側に、各前記表示画面から発せられた光を屈折する透光性板状のプリズム部（２０）が設けられ、
隣接する前記画像表示パネル間に、仮想線として、前記鈍角の二等分線（ＡＢ）を規定すると、
前記プリズム部は、
画像表示パネル側を向く表面として、前記二等分線を跨いで対を成すように設けられ、前記表示画面に沿うことにより、前記二等分線に対して傾斜して配置された沿設面（２２）と、
前記画像表示パネルとは反対側を向く表面として、前記二等分線を跨いで対を成すように設けられ、前記二等分線に近づく程、前記プリズム部の媒質を介して相対する前記沿設面との間隔が狭くなるように、前記二等分線に対して傾斜して配置された傾斜面（２６）と、を有する表示装置。
【請求項２】
前記傾斜面は、凸状に湾曲している請求項１に記載の表示装置。
【請求項３】
前記プリズム部は、
前記画像表示パネルとは反対側を向く表面として、前記傾斜面のうち前記二等分線とは離れる側において、前記傾斜面と接続され、前記プリズム部の媒質を介して相対する前記沿設面との間隔が一定となるように配置された定厚面（２４）をさらに有する請求項１又は２に記載の表示装置。
【請求項４】
前記プリズム部よりも前記画像表示パネルとは反対側を向く表面に、前記プリズム部全体を覆うように配置され、前記表示画面から発せられた光を透過すると共に、前記プリズム部よりも透過率が低い板状に形成された低透過カバー（３０）がさらに設けられている請求項１から３のいずれか１項に記載の表示装置。
【請求項５】
前記傾斜面は、前記二等分線から隣接する前記辺の幅寸法（ＷＪ）以上に離れた箇所まで達するように設けられる請求項１から４のいずれか１項に記載の表示装置。
【発明の詳細な説明】
【技術分野】
【０００１】
本発明は、車両に搭載され、複数の画像表示パネルが一体的に組み合わされて表示を行なう表示装置に関する。
【背景技術】
【０００２】
従来、複数の表示体が一体的に組み合わされて表示を行なう表示装置が知られている。特許文献１に開示の表示装置は、所定数の画素がマトリクス状に配列された液晶パネルと、液晶パネルの所定数の画素を画素ブロックとし、液晶パネルが表示する画像を、画素ブロック毎に拡大結像してスクリーン上につなぎ目なく投写させる結像手段と、を含む投射型の表示装置である。
【０００３】
また、特許文献２に開示の表示装置は、複数の表示素子が配置された複合表示素子を有し、複合表示素子間に充填され液晶表示素子間を接合する接合部材中に、ガラス紛体が充填されている。
【先行技術文献】
【特許文献】
【０００４】
【特許文献１】特開平５−１８８３４０号公報
【特許文献２】特開平１１−６４８７９号公報
【発明の概要】
【発明が解決しようとする課題】
【０００５】
しかしながら、特許文献１に記載の投射型の表示装置では、つなぎ目は発生し難いが、結像手段が設けられていること等により、表示装置自体が厚くなってしまう。このため、搭載スペースが限られた車両（例えばインストルメントパネル）に設置するには、好適とは言えない。
【０００６】
また特許文献２に記載の表示装置では、ガラス紛体による光の拡散によりつなぎ目を誤魔化しているため、つなぎ目において不鮮明な像が視認され得る。このため、一体感が十分ではない。
【０００７】
したがって、車両に搭載される表示装置において、一体感のある大画面の表示を実現することは困難であった。
【０００８】
本発明は、以上説明した問題に鑑みてなされたものであって、その目的は、複数の画像表示パネルのつなぎ目を視認し難くすることにより、一体感のある大画面の表示を可能とする車両用表示装置を提供することにある。
【課題を解決するための手段】
【０００９】
本発明は、車両に搭載され、複数の画像表示パネル（１０）が一体的に組み合わされて表示を行なう表示装置であって、
各画像表示パネルは、画像を表示する表示画面（１２）と、表示画面を囲む外枠部（１４）と、を有し、表示画面同士が互いに鈍角（ＯＡ）を成すように、外枠部の辺（１５ａ）同士を隣接させて並べられており、
表示画面同士が鈍角を成す側に、各表示画面から発せられた光を屈折する透光性板状のプリズム部（２０）が設けられ、
隣接する画像表示パネル間に、仮想線として、鈍角の二等分線（ＡＢ）を規定すると、
プリズム部は、
画像表示パネル側を向く表面として、二等分線を跨いで対を成すように設けられ、表示画面に沿うことにより、二等分線に対して傾斜して配置された沿設面（２２）と、
画像表示パネルとは反対側を向く表面として、二等分線を跨いで対を成すように設けられ、二等分線に近づく程、プリズム部の媒質を介して相対する沿設面との間隔が狭くなるように、二等分線に対して傾斜して配置された傾斜面（２６）と、を有する。
【００１０】
このような発明によると、表示画面同士が互いに鈍角を成すように、外枠部の辺同士を隣接させて並べられている複数の画像表示パネルに対して、透光性板状のプリズム部は当該鈍角を成す側に配置されている。したがって、各表示画面から発せられた光をプリズム部が屈折することにより、外枠部の隣接する辺が視認され難いように隠すことが可能となる。ここで、プリズム部にて、表示画面に沿った沿設面、及び当該沿設面がプリズム部の媒質を介して相対する傾斜面の両表面は、二等分線に対して傾斜して配置されている。これにより、各表示画面のうち隣接する辺の近傍箇所は、外枠部の隣接する辺が存在する側に互いに近づいて視認され得る。
【００１１】
より詳細に、傾斜面は、二等分線に近づく程、沿設面との間隔が狭くなるように配置されている。したがって、視認者が二等分線の近傍から表示装置を視認するときには、傾斜面と沿設面との間隔が一定である場合よりも、傾斜面の法線方向と視線方向とが成す角度が大きくなるので、傾斜面にて二等分線から離れる方向に大きく屈折した光を視認することとなる。このため、各表示画面の隣接する辺の近傍箇所は、互いに外枠部の隣接する辺の存在する側により近づいて視認されるので、あたかも各表示画面がつなぎ目なく連続しているような表示を実現できる。
【００１２】
これと共に、視認者が二等分線から離れた位置から表示装置を斜めに視認するときには、傾斜面と沿設面との間隔が一定である場合よりも、各傾斜面のうち対向する傾斜面の法線方向と視線方向との関係が前者の関係から逆転し難くなる。したがって、視認者は、当該視認者と対向する傾斜面にて二等分線に近づく方向に大きく屈折する光を視認する可能性が減少するので、外枠部の隣接する辺が表示画面の存在する側に近づいて視認されることが抑制される。したがって、視認者が斜めから表示装置を視認した場合に、外枠部の隣接する辺が視認されることでつなぎ目が強調される事態を、回避できる。
【００１３】
以上により、複数の画像表示パネルのつなぎ目を視認し難くすることにより、一体感のある大画面の表示を可能とする表示装置を提供することができる。
【００１４】
なお、括弧内の符号は、記載内容の理解を容易にすべく、後述する実施形態において対応する構成を例示するものに留まり、発明の内容を限定することを意図したものではない。
【図面の簡単な説明】
【００１５】
【図１】一実施形態における表示装置の正面図であって、視認者が正面視した場合に視認される態様を示す図である。
【図２】一実施形態における表示装置の正面図であって、プリズム部と画像表示パネルとの位置関係を示す図である。
【図３】一実施形態における表示装置の上面図である。
【図４】傾斜面における光の屈折を説明するための図であって、（ａ）視認者が二等分線の近傍から表示装置を視認する場合の光線、（ｂ）視認者が二等分線から離れた位置から表示装置を斜めに視認する場合の光線を示している。
【図５】参考例における表示装置の上面図である。
【図６】シミュレーション結果を示すグラフである。
【図７】変形例１における表示装置の正面図であって、視認者が正面視した場合に視認される態様を示す図である。
【図８】変形例１における表示装置の上面図である。
【図９】変形例２における表示装置の上面図である。
【図１０】変形例４における表示装置の分解斜視図である。
【発明を実施するための形態】
【００１６】
以下、本発明の一実施形態を図面に基づいて説明する。
【００１７】
本発明の本実施形態による表示装置１００は、車両に搭載されている。表示装置１００は、視認者が着座する座席と対向するインストルメントパネルに設置されている。図１に示すように、表示装置１００は、複数の画像表示パネル１０が一体的に組み合わされて、視認側へ向けて、疑似的な大画面の表示を行なう。これにより、表示装置１００に対して視認側に位置する視認者は、表示される情報を知覚することができる。表示される情報としては、車両の速度、エンジン回転数、燃料残量、バッテリ残量、エンジン回転数、エンジン冷却水の水温、シフトレンジ、あるいは電動モータの電流値等の車両の状態、及び道路情報、視界補助情報、電子メール、テレビ映像、空調に関する情報、オーディオに関する情報等の各種情報を採用することが可能である。
【００１８】
表示装置１００は、図２，３にも示すように、複数の画像表示パネル１０、プリズム部２０、及び低透過カバー３０を有している。
【００１９】
画像表示パネル１０は、本実施形態において２つ設けられている。画像表示パネル１０としては、薄膜トランジスタ（Thin Film Transistor、ＴＦＴ）を用いた透過型の液晶パネルであって、画素が２次元方向に配列されたアクティブマトリクス型の液晶パネルが採用されている。本実施形態において、各画像表示パネル１０は、フラットパネル式であり、矩形板状に形成されている。各画像表示パネル１０は、表示画面１２及び外枠部１４を有している。
【００２０】
各画像表示パネル１０において表示画面１２は、視認側を向く矩形状かつ平面状に形成されている。表示画面１２の寸法は、例えば、１００ｍｍ×１８０ｍｍとなっている。表示画面１２は、前述の画素の配列によって、バックライトの光を視認側に透過して画像を表示可能となっている。
【００２１】
各画像表示パネル１０において外枠部１４は、例えばアルミ等の金属板のプレス加工部品又は合成樹脂による成型部品であり、背面側のバックライト覆うと共に、表示画面１２を全周に亘って囲んでいる。特に本実施形態の外枠部１４は、暗色である黒色となっている。外枠部１４は、まっすぐに延伸する４つの辺１５を有する矩形枠状となっている。外枠部１４は、例えば画像表示パネルにおける配線のために、設ける必要性が生じている。
【００２２】
ここで２つの画像表示パネル１０は、外枠部１４のうち１つの辺１５ａ同士を隣接させて並べられている。ここで隣接する辺１５ａの幅寸法ＷＪは、例えば各３ｍｍ程度となっている。隣接する辺１５ａ（以下、隣接辺１５ａ）同士は、隙間が極力生じないように並べられていることが好ましく、本実施形態において隣接辺１５ａ同士は当接している。なお、本実施形態の画像表示パネルは、車両において横方向に沿って並べられている。ここで横方向とは、水平面上の車両における水平方向に実質一致している。
【００２３】
また、２つの画像表示パネル１０は、その表示画面１２同士が互いに鈍角ＯＡを成すように並べられている。当該鈍角ＯＡは、例えば１４０〜１７０度の範囲内となることが好ましい。さらに、隣接する２つの画像表示パネル１０間に、仮想線として、図３に示すように、鈍角ＯＡの二等分線ＡＢを規定する。
【００２４】
プリズム部２０は、表示画面１２同士が鈍角を成す視認側に、二等分線ＡＢを跨いで配置されている。プリズム部２０は、例えば合成樹脂ないしはガラス等の透光性の媒質により、略板状に形成されている。したがって、プリズム部２０は、各表示画面１２から発せられた光を屈折するようになっている。
【００２５】
より詳細に、プリズム部２０は、二等分線ＡＢを境に、表示画面１２に沿って鈍角を成すように折れ曲がった全体形状を呈している。このような折れ曲がり形状により、プリズム部２０は、二等分線ＡＢに対して実質線対称に設けられている。プリズム部２０は、画像表示パネル１０側を向く表面（すなわち背面側を向く表面）として、一対の沿設面２２を有している。また、プリズム部２０は、画像表示パネル１０とは反対側を向く表面（すなわち視認側を向く表面）として、一対の定厚面２４及び一対の傾斜面２６を有している。
【００２６】
沿設面２２は、二等分線ＡＢを跨いで対を成すように設けられている。より詳細に、沿設面２２は、二等分線ＡＢと重なって、各隣接辺１５ａに沿って延伸する凸状の折れ線部２８を境として、対を成している。各沿設面２２は、対応する表示画面１２と同様に平面状に形成されており、当該表示画面１２に沿うことにより、二等分線ＡＢに対して傾斜して配置されている。一対の沿設面２２は、表示画面１２が成す鈍角ＯＡよりも僅かに小さい角度の鈍角を、プリズム部２０の媒質側において、互いに成している。
【００２７】
各沿設面２２と各表示画面１２との間に隙間が極力生じない配置とするために、二等分線ＡＢの近傍（すなわち、境界線の近傍）にて、各沿設面２２は、対応する隣接辺１５ａと当接している。
【００２８】
各定厚面２４は、視認側を向く表面のうち、二等分線ＡＢとは離れた箇所において、対応する沿設面２２と、プリズム部２０の媒質を介して相対している。各定厚面２４は、対応する沿設面２２との間隔が実質一定となるように、対応する沿設面２２と実質平行に配置されている。したがって、プリズム部２０のうち、定厚面２４と沿設面２２とが相対する箇所では、当該プリズム部２０の厚みが実質一定となっている。
【００２９】
傾斜面２６は、視認側を向く表面のうち、二等分線ＡＢの近傍において、二等分線ＡＢを跨いで対を成すように設けられている。より詳細に、傾斜面２６は、折れ線部２８を境として、対を成している。各傾斜面２６は、対応する沿設面２２と、プリズム部２０の媒質を介して相対している。各傾斜面２６は、対応する沿設面２２との間隔が二等分線ＡＢに近づく程、狭くなるように、対応する沿設面２２に対して傾斜して配置されている。したがって、各傾斜面２６は、二等分線ＡＢに対しても傾斜して配置されている。
【００３０】
各傾斜面２６は、凸状に湾曲した曲面状に形成されている。具体的に各傾斜面２６は、母線が隣接辺１５ａの延伸方向に沿った略円柱面状を呈している。こうした各傾斜面２６は、二等分線ＡＢから隣接辺１５ａの幅寸法ＷＪより離れた箇所に達するように、範囲設定されている。各傾斜面２６のうち二等分線ＡＢ及び折れ線部２８と離れる側は、対応する定厚面２４と接続されている。ここで、各傾斜面２６が上述のように略円柱面状に形成されていることにより、各傾斜面２６は、平面状の定厚面２４と、接続箇所の全部において滑らかに接続されている。
【００３１】
低透過カバー３０は、プリズム部２０よりも画像表示パネル１０とは反対側（すなわち視認側）に、当該プリズム部２０全体を覆うように配置されている。低透過カバー３０は、例えば合成樹脂により形成された透光性の薄板を、スモーク調に着色して形成されていることにより、プリズム部２０の媒質よりも透過率が低くなっている。こうした低透過カバー３０を表示画面１２から発せられた光は透過するが、プリズム部２０の折れ線部２８等が視認者から視認され難くなっている。
【００３２】
（作用効果）
以上説明した本実施形態の作用効果を以下に説明する。
【００３３】
本実施形態によると、表示画面１２同士が互いに鈍角ＯＡを成すように、外枠部１４の辺１５ａ同士を隣接させて並べられている複数の画像表示パネル１０に対して、透光性板状のプリズム部２０は当該鈍角ＯＡを成す側に配置されている。したがって、各表示画面１２から発せられた光をプリズム部２０が屈折することにより、外枠部１４の隣接辺１５ａが視認され難いように隠すことが可能となる。ここで、プリズム部２０にて、表示画面１２に沿った沿設面２２、及び当該沿設面２２がプリズム部２０の媒質を介して相対する傾斜面２６の両表面は、二等分線ＡＢに対して傾斜して配置されている。これにより、各表示画面１２のうち隣接辺１５ａの近傍箇所は、当該隣接辺１５ａが存在する側に互いに近づいて視認され得る。
【００３４】
より詳細に、傾斜面２６は、二等分線ＡＢに近づく程、沿設面２２との間隔が狭くなるように配置されている。したがって、視認者が二等分線ＡＢの近傍から表示装置１００を視認するときには、傾斜面２６と沿設面２２との間隔が一定である場合よりも、傾斜面２６の法線方向と視線方向とが成す角度が大きくなるので、傾斜面２６にて二等分線ＡＢから離れる方向に大きく屈折した光を視認することとなる。このため、各表示画面１２の隣接辺１５ａの近傍箇所は、互いに隣接辺１５ａの存在する側により近づいて視認されるので、あたかも各表示画面１２がつなぎ目なく連続しているような表示を実現できる。
【００３５】
これと共に、視認者が二等分線ＡＢから離れた位置から表示装置１００を斜めに視認するときには、傾斜面２６と沿設面２２との間隔が一定である場合よりも、各傾斜面２６のうち対向する傾斜面２６の法線方向と視線方向との関係が前者の関係から逆転し難くなる。したがって、視認者は、当該視認者と対向する傾斜面２６にて二等分線ＡＢに近づく方向に大きく屈折する光を視認する可能性が減少するので、隣接辺１５ａが表示画面の存在する側に近づいて視認されることが抑制される。したがって、視認者が斜めから表示装置１００を視認した場合に、隣接辺１５ａが視認されることでつなぎ目が強調される事態を、回避できる。
【００３６】
以上により、複数の画像表示パネル１０のつなぎ目を視認し難くすることにより、一体感のある大画面の表示を可能とする表示装置１００を提供することができる。
【００３７】
ここで、補足として、図４に傾斜面２６を屈折する光線Ｒ１，Ｒ２を例として示す。図４（ａ）に示すように、視認者が二等分線ＡＢの近傍から表示装置１００を視認するときの光線Ｒ１は、傾斜面２６の法線方向と視線方向とが成す角度が大きくなっていることにより、大きく屈折している。この結果、表示画面１２は、より二等分線ＡＢに近づいた位置に結像されるので、その分隣接辺１５ａが視認される範囲が狭くなる。
【００３８】
また、図４（ｂ）に示すように、視認者が二等分線ＡＢから離れた位置から表示装置１００を斜めに視認するときの光線Ｒ２は、傾斜面２６の法線方向と視線方向とが成す角度が小さくなっていることにより、光線Ｒ１よりも小さな屈折となっている。この結果、視認者と対向する画像表示パネル１０において、隣接辺１５ａが実際よりも二等分線ＡＢから離れた位置に結像される事態が生じ難くなっている。
【００３９】
また、本実施形態によると、傾斜面２６は、凸状に湾曲している。こうした湾曲によれば、視認者が二等分線ＡＢから離れた位置から表示装置１００を斜めに視認するときに、任意の角度において、各傾斜面２６のうち視認者と対向する傾斜面２６の法線方向と視線方向とのずれが抑制される。したがって、視認者と対向する傾斜面２６にて二等分線ＡＢに近づく方向に大きく屈折する光を視認する可能性がより減少するので、隣接辺１５ａが表示画面１２の存在する側に近づいて視認されることがさらに抑制される。
【００４０】
また、本実施形態によると、画像表示パネル１０とは反対側を向く表面として、傾斜面２６のうち二等分線ＡＢとは離れる側において、傾斜面２６と接続されている定厚面２４が配置されている。こうした定厚面２４が沿設面２２との間隔を一定にしているので、つなぎ目の視認と関連が小さな箇所において、両表面の間隔が変わることによるプリズム部の体格増加を抑制できる。
【００４１】
また、本実施形態によると、プリズム部２０よりも透過率が低い板状に形成された低透過カバー３０が、プリズム部２０よりも画像表示パネル１０とは反対側に、プリズム部２０全体を覆うように配置されている。視認者は、表示画面１２から発せられた光を、低透過カバー３０の透過により視認することとなるので、プリズム部２０の存在に気付き難くなり、一体感が高まる。
【００４２】
また、本実施形態によると、傾斜面２６は、二等分線ＡＢから隣接辺１５ａの幅寸法ＷＪ以上に離れた箇所まで達するように設けられる。このようにすると、表示画面１２において隣接辺１５ａの近傍箇所から発せられた光が傾斜面２６に屈折された後に視認される可能性が高まるので、一体感のある大画面の表示をより確実に享受することができる。
【００４３】
（参考例）
図５に示す参考例としての表示装置９００は、上述のプリズム部２０が傾斜面２６を有する形態に対して、当該傾斜面２６が設けられず、プリズム部９２０の画像表示パネル１０とは反対側を向く表面のうち全面に定厚面９２４を有している。
【００４４】
こうした定厚面９２４は、二等分線ＡＢを跨いで対を成すように設けられている。より詳細に、定厚面９２４は、二等分線ＡＢと重なって、各隣接辺１５ａに沿って延伸する凹状の折れ線部９２８を境として、対を成している。各定厚面９２４は、対応する沿設面９２２と、プリズム部９２０の媒質を介して相対している。各定厚面９２４は、対応する沿設面９２２との間隔が実質一定となるように、対応する沿設面９２２と実質平行に配置されている。したがって、プリズム部９２０の厚みは、各箇所において、実質一定となっている。
【００４５】
以下では、形状が異なる各プリズム部２０，９２０の特性の違いについて、より詳細に説明する。
【００４６】
各プリズム部が採用された各表示装置１００，９００について、視認者のアイポイントを横移動させていった場合に、つなぎ目の幅が何ｍｍに視認されるかを、光線追跡法によりシミュレーションした結果が図６に示されている。このシミュレーションにおいて、アイポイントが０ｍｍの位置は、折れ線部２８，９２８から二等分線ＡＢに沿って視認側に７００ｍｍ離れた位置とする。また横移動とは、二等分線ＡＢ及び隣接辺１５ａの延伸方向に垂直な方向の移動である。
【００４７】
これによれば、二等分線ＡＢ上にアイポイントが存在するとき（図６の０ｍｍの位置参照）、換言すると表示装置１００，９００を正面視するときには、両表示装置１００，９００ともに、つなぎ目の見え量は０ｍｍとなっているため、当該隣接辺１５ａが視認されない。これは、鈍角ＯＡの値及び沿設面２２と傾斜面２６（もしくは定厚面９２４）との間隔の設定にて隣接辺１５ａが視認されないような条件が成立するように、両表示装置１００，９００が設計されたためである。
【００４８】
一方、二等分線ＡＢから離れた位置にアイポイントが存在するとき（図６の０ｍｍ以外の位置参照）、換言すると表示装置１００，９００を斜めに視認するときには、両表示装置１００，９００ともに、二等分線ＡＢから離れる程、つなぎ目の見え量が大きくなる。ただし、正面視に対する差は、傾斜面２６を有するプリズム部２０の場合の方が少なく、例えば図６の１００ｍｍの位置では、つなぎ目の見え量が定厚面９２４を通して画像表示パネル１０を見た場合に対して、約１／３となっていることがわかる。
【００４９】
（他の実施形態）
以上、本発明の実施形態について説明したが、本発明は、説明した実施形態に限定して解釈されるものではなく、本発明の要旨を逸脱しない範囲内において種々の実施形態に適用することができる。
【００５０】
具体的に変形例１としては、画像表示パネル１０の並び形態として、様々な形態を採用することができる。この例として、３つ以上の画像表示パネル１０が並べられていてもよい。図７，８では、３つの画像表示パネル１０が並べられている。
【００５１】
また、変形例１の他の具体例として、画像表示パネル１０は、車両において縦方向に沿って並べられていてもよい。ここで縦方向とは、水平面上の車両における鉛直方向に実質一致している。
【００５２】
変形例２としては、各傾斜面２６は、図９に示すように、凸状に湾曲しておらず、平面状に形成されていてもよい。
【００５３】
変形例３としては、傾斜面２６は、二等分線ＡＢから隣接辺１５ａの幅寸法ＷＪ以上に離れ方所まで達していなくてもよい。
【００５４】
変形例４としては、プリズム部２０は、定厚面２４を有していなくてもよい。例えば画像表示パネル１０とは反対側を向く表面の全体に、傾斜面２６が設けられていてもよい。
【００５５】
変形例５としては、図１０に示すように、プリズム部２０は、折れ線部２８を境に２つに分離可能な２部品により構成されていてもよい。この場合、視認側及び背面側に開口し、２部品のプリズム部２０を外周側から囲むケース４０によって、プリズム部２０が保持されていてもよい。
【符号の説明】
【００５６】
１００  表示装置、１０  画像表示パネル、１２  表示画面、１４  外枠部、１５ａ  隣接辺、２０  プリズム部、２２  沿設面、２４  定厚面、２６  傾斜面、３０  低透過カバー、ＯＡ  鈍角、ＷＪ  幅寸法
【図１】
2018010091.tif 000003
【図２】
2018010091.tif 000004
【図３】
2018010091.tif 000005
【図４】
2018010091.tif 000006
【図５】
2018010091.tif 000007
【図６】
2018010091.tif 000008
【図７】
2018010091.tif 000009
【図８】
2018010091.tif 000010
【図９】
2018010091.tif 000011
【図１０】
2018010091.tif 000012